【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  原稿の画像を光学的に読み取る画像読取手段と、レーザ光を用いる電子写真プロセスにより、前記画像読取手段で読み取った画像を像担持体上に形成する画像形成手段とを備えた画像形成装置を、管理装置により通信回線経由で遠隔管理する画像形成装置管理システムであって、
前記画像形成装置に、
前記画像読取手段によって基準画像を第１のテストデータとして読み取らせ、その第１のテストデータを予め設定された基準データと比較して正常か異常かを判定する第１の判定処理手段と、
前記基準データに基づいてレーザ光を発生させ、該レーザ光の変化を検出して第２のテストデータとし、その第２のテストデータを前記基準データと比較して正常か異常かを判定する第２の判定処理手段と、
前記第１，第２の判定処理手段による各判定結果を前記通信回線経由で前記管理装置へ送信する判定結果送信手段と
を設けたことを特徴とする画像形成装置管理システム。
【請求項２】  請求項１記載の画像形成装置管理システムにおいて、
前記画像形成装置が、前記レーザ光が前記像担持体上に到達するまでの光路の途中で該光路を変更させる光路変更手段を有し、
前記画像形成装置の第２の判定処理手段は、前記基準データに基づいてレーザ光を発生させ、前記光路変更手段による光路変更後のレーザ光の変化を検出して第２のテストデータとし、その第２のテストデータを前記基準データと比較して正常か異常かを判定する手段であることを特徴とする画像形成装置管理システム。
【請求項３】  請求項１又は２記載の画像形成装置管理システムにおいて、
前記画像形成装置の第１，第２の判定処理手段はそれぞれ、前記第１，第２のテストデータを異常と判定する際に、その異常の原因となる箇所も判定する手段であることを特徴とする画像形成装置管理システム。
【請求項４】  請求項１乃至３のいずれか一項に記載の画像形成装置管理システムにおいて、
前記画像形成装置の判定結果送信手段は、前記第１又は第２の判定処理手段によって前記第１又は第２のテストデータが異常と判定された場合に、対応する判定結果を前記通信回線経由で前記管理装置へ送信する手段であることを特徴とする画像形成装置管理システム。
【請求項５】  請求項１乃至４のいずれか一項に記載の画像形成装置管理システムにおいて、
前記画像形成装置に、前記画像読取手段による読み取り領域の近傍に前記基準画像を有する部材を設けたことを特徴とする画像形成装置管理システム。
【請求項６】  請求項１乃至４のいずれか一項に記載の画像形成装置管理システムにおいて、
前記画像形成装置に、前記画像読取手段による読み取り領域の近傍に前記基準画像を表示する表示手段を設けたことを特徴とする画像形成装置管理システム。
【請求項７】  原稿の画像を光学的に読み取る画像読取手段と、レーザ光を用いる電子写真プロセスにより、前記画像読取手段で読み取った画像を像担持体上に形成する画像形成手段とを備え、管理装置により通信回線経由で遠隔管理される画像形成装置であって、
前記画像読取手段によって基準画像を第１のテストデータとして読み取らせ、その第１のテストデータを予め設定された基準データと比較して正常か異常かを判定する第１の判定処理手段と、
前記基準データに基づいてレーザ光を発生させ、該レーザ光の変化を検出して第２のテストデータとし、その第２のテストデータを前記基準データと比較して正常か異常かを判定する第２の判定処理手段と、
前記第１，第２の判定処理手段による各判定結果を前記通信回線経由で前記管理装置へ送信する判定結果送信手段と
を設けたことを特徴とする画像形成装置。
【請求項８】  請求項７記載の画像形成装置において、
前記レーザ光が前記像担持体上に到達するまでの光路の途中で該光路を変更させる光路変更手段を設け、
前記第２の判定処理手段は、前記基準データに基づいてレーザ光を発生させ、前記光路変更手段による光路変更後のレーザ光の変化を検出して第２のテストデータとし、その第２のテストデータを前記基準データと比較して正常か異常かを判定する手段であることを特徴とする画像形成装置。
【請求項９】  請求項８記載の画像形成装置において、
前記第１，第２の判定処理手段はそれぞれ、前記第１，第２のテストデータを異常と判定する際に、その異常の原因となる箇所も判定する手段であることを特徴とする画像形成装置。
【請求項１０】  請求項７乃至９のいずれか一項に記載の画像形成装置において、
前記判定結果送信手段は、前記第１又は第２の判定処理手段によって前記第１又は第２のテストデータが異常と判定された場合に、対応する判定結果を前記通信回線経由で前記管理装置へ送信する手段であることを特徴とする画像形成装置。
【請求項１１】  請求項７乃至１０のいずれか一項に記載の画像形成装置において、
前記画像読取手段による読み取り領域の近傍に前記基準画像を有する部材を設けたことを特徴とする画像形成装置。
【請求項１２】  請求項７乃至１０のいずれか一項に記載の画像形成装置において、
前記画像読取手段による読み取り領域の近傍に前記基準画像を表示する表示手段を設けたことを特徴とする画像形成装置。
【請求項１３】  原稿の画像を光学的に読み取る画像読取手段と、レーザ光を用いる電子写真プロセスにより、前記画像読取手段で読み取った画像を像担持体上に形成する画像形成手段とを備えた画像形成装置における画像状態判定通知方法であって、
前記画像読取手段によって基準画像を第１のテストデータとして読み取らせ、その第１のテストデータを予め設定された基準データと比較して正常か異常かを判定する第１の判定処理、および前記基準データに基づいてレーザ光を発生させ、該レーザ光の変化を検出して第２のテストデータとし、その第２のテストデータを前記基準データと比較して正常か異常かを判定する第２の判定処理をそれぞれ行い、その各判定結果を通信回線経由で管理装置へ送信することを特徴とする画像状態判定通知方法。
【請求項１４】  原稿の画像を光学的に読み取る画像読取手段と、レーザ光を用いる電子写真プロセスにより、前記画像読取手段で読み取った画像を像担持体上に形成する画像形成手段とを備え、管理装置により通信回線経由で遠隔管理される画像形成装置を制御するコンピュータに、
前記画像読取手段によって基準画像を第１のテストデータとして読み取らせ、その第１のテストデータを予め設定された基準データと比較して正常か異常かを判定する第１の判定処理機能と、前記基準データに基づいてレーザ光を発生させ、該レーザ光の変化を検出して第２のテストデータとし、その第２のテストデータを前記基準データと比較して正常か異常かを判定する第２の判定処理機能と、前記第１，第２の判定処理機能による各判定結果を前記通信回線経由で前記管理装置へ送信する判定結果送信機能とを実現させるためのプログラム。
【手続補正２】
【補正対象書類名】明細書
【補正対象項目名】００１４
【補正方法】変更
【補正の内容】
【００１４】
請求項６の発明による画像形成装置管理システムは、請求項１〜４のいずれかの画像形成装置管理システムにおいて、上記画像形成装置に、上記画像読取手段による読み取り領域の近傍に上記基準画像を表示する表示手段を設けたものである。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
請求項７の発明による画像形成装置は、原稿の画像を光学的に読み取る画像読取手段と、レーザ光を用いる電子写真プロセスにより、上記画像読取手段で読み取った画像を像担持体上に形成する画像形成手段とを備え、管理装置により通信回線経由で遠隔管理される画像形成装置であって、上記画像読取手段によって基準画像を第１のテストデータとして読み取らせ、その第１のテストデータを予め設定された基準データと比較して正常か異常かを判定する第１の判定処理手段と、上記基準データに基づいてレーザ光を発生させ、該レーザ光の変化を検出して第２のテストデータとし、その第２のテストデータを上記基準データと比較して正常か異常かを判定する第２の判定処理手段と、上記第１，第２の判定処理手段による各判定結果を上記通信回線経由で上記管理装置へ送信する判定結果送信手段とを設けたものである。
【手続補正６】
【補正対象書類名】明細書
【補正対象項目名】００１８
【補正方法】変更
【補正の内容】
【００１８】
請求項８の発明による画像形成装置は、請求項７の画像形成装置において、上記レーザ光が上記像担持体上に到達するまでの光路の途中で該光路を変更させる光路変更手段を設け、上記第２の判定処理手段を、上記基準データに基づいてレーザ光を発生させ、上記光路変更手段による光路変更後のレーザ光の変化を検出して第２のテストデータとし、その第２のテストデータを上記基準データと比較して正常か異常かを判定する手段としたものである。
【手続補正７】
【補正対象書類名】明細書
【補正対象項目名】００１９
【補正方法】変更
【補正の内容】
【００１９】
請求項９の発明による画像形成装置は、請求項８の画像形成装置において、上記第１，第２の判定処理手段をそれぞれ、上記第１，第２のテストデータを異常と判定する際に、その異常の原因となる箇所も判定する手段としたものである。
請求項１０の発明による画像形成装置は、請求項７〜９のいずれかの画像形成装置において、上記判定結果送信手段を、上記第１又は第２の判定処理手段によって上記第１又は第２のテストデータが異常と判定された場合に、対応する判定結果を上記通信回線経由で上記管理装置へ送信する手段としたものである。
請求項１１の発明による画像形成装置は、請求項７〜１０のいずれかの画像形成装置において、上記画像読取手段による読み取り領域の近傍に上記基準画像を有する部材を設けたものである。
【手続補正８】
【補正対象書類名】明細書
【補正対象項目名】００２０
【補正方法】変更
【補正の内容】
【００２０】
請求項１２の発明による画像形成装置は、請求項７〜１０のいずれかの画像形成装置において、上記画像読取手段による読み取り領域の近傍に上記基準画像を表示する表示手段を設けたものである。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
請求項１３の発明による画像状態判定通知方法は、原稿の画像を光学的に読み取る画像読取手段と、レーザ光を用いる電子写真プロセスにより、上記画像読取手段で読み取った画像を像担持体上に形成する画像形成手段とを備えた画像形成装置における画像状態判定通知方法であって、上記画像読取手段によって基準画像を第１のテストデータとして読み取らせ、その第１のテストデータを予め設定された基準データと比較して正常か異常かを判定する第１の判定処理、および上記基準データに基づいてレーザ光を発生させ、該レーザ光の変化を検出して第２のテストデータとし、その第２のテストデータを上記基準データと比較して正常か異常かを判定する第２の判定処理をそれぞれ行い、その各判定結果を通信回線経由で管理装置へ送信するものである。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
請求項１４の発明によるプログラムは、原稿の画像を光学的に読み取る画像読取手段と、レーザ光を用いる電子写真プロセスにより、上記画像読取手段で読み取った画像を像担持体上に形成する画像形成手段とを備え、管理装置により通信回線経由で遠隔管理される画像形成装置を制御するコンピュータに、上記画像読取手段によって基準画像を第１のテストデータとして読み取らせ、その第１のテストデータを予め設定された基準データと比較して正常か異常かを判定する第１の判定処理機能と、上記基準データに基づいてレーザ光を発生させ、該レーザ光の変化を検出して第２のテストデータとし、その第２のテストデータを上記基準データと比較して正常か異常かを判定する第２の判定処理機能と、上記第１，第２の判定処理機能による各判定結果を上記通信回線経由で上記管理装置へ送信する判定結果送信機能とを実現させるためのプログラムである。
【手続補正１３】
【補正対象書類名】明細書
【補正対象項目名】００５７
【補正方法】変更
【補正の内容】
【００５７】
次に、画像形成装置１００におけるソフトウェア構成について図６を用いて説明する。
図６は、画像形成装置１００におけるソフトウェア構成例を示すブロック図である。
当該画像形成装置１００におけるソフトウェア構成は、最上位のアプリケーションモジュール層、その下位のサービスモジュール層からなる。そして、これらのソフトウェアを構成するプログラムはＨＤＤ２０１やコントローラボード２００上のＲＡＭに記憶され、必要に応じて読み出されてコントローラボード２００上のＣＰＵによって実行される。そしてＣＰＵは、これらのプログラムを必要に応じて実行することにより、第１，第２の判定処理手段，判定結果送信手段，表示制御手段，基準データ書込手段としての機能を実現することができる。
【手続補正１４】
【補正対象書類名】明細書
【補正対象項目名】０１０７
【補正方法】変更
【補正の内容】
【０１０７】
さらに、この発明によるプログラムは、上述の画像形成装置１００，１１０を制御するコンピュータに、第１，第２の判定処理手段，判定結果送信手段，表示制御手段，基準データ書込手段としての機能を実現させるためのプログラムであり、このようなプログラムをコンピュータに実行させることにより、上述したような効果を得ることができる。
このようなプログラムは、はじめからＲＯＭあるいはＨＤＤ等の記憶手段に格納しておいてもよいが、記録媒体であるＣＤ−ＲＯＭあるいはフレキシブルディスク，ＳＲＡＭ，ＥＥＰＲＯＭ，メモリカード等の不揮発性記録媒体（メモリ）に記録して提供することもできる。そのメモリに記録されたプログラムをコンピュータにインストールしてＣＰＵに実行させるか、ＣＰＵにそのメモリからこのプログラムを読み出して実行させることにより、上述した各手順を実行させることができる。あるいは、ネットワークに接続され、プログラムを記録した記録媒体を備える外部機器あるいはプログラムを記憶手段に記憶した外部機器からダウンロードして実行させることも可能である。